(57)【特許請求の範囲】
【請求項１】
感知器ヘッドを着脱自在に取り付ける感知器ベースにおいて、該感知器ベースに固定する通電用の部材として、一枚の金属板によりこれを折曲し、押圧固定用の端子バネを内装する、電線接続端子となる一方が開放する箱形の部分と、それから伸び出す連結端子となるブレード状の部分とを一体的に形成した電線接続端子付連結端子を用い、該電線接続端子付連結端子を、ブレード状の部分の先端部を、ネジ止め等の手段により止着して感知器ベースに固定する一方、箱形の部分を、それに電線挿入孔がブレード状の部分と同一方向になるようにして被せた端子カバーの両側部に突起又は凹部を設けると共に感知器ベースに、弾性を有し且つ対向面に、前記端子カバーの両側部に設けた突起又は凹部と嵌合する凹部又は突起を設けた係止片を対立設し、該係止片の凹部又は突起に前記端子カバーの突起又は凹部を嵌合させて感知器ベースに固定するようになしたことを特徴とする感知器ベース。
【請求項２】
電線接続端子付連結端子におけるブレード状の部分を、連結操作時に感知器ヘッドの連結端子に当接する側の部分から折り返して重合してなる請求項１記載の感知器ベース。
【発明の詳細な説明】
【０００１】
【発明の属する技術分野】
本発明は、煙や熱を検出する感知器の感知器ヘッドを着脱自在に取り付けるための感知器ベースに関する。
【０００２】
【従来の技術】
感知器は、天井面に固定する感知器ベースと、この感知器ベースに着脱自在に取り付ける感知器ヘッドとからなり、予め天井面に感知器ベースを固定し、感知器ヘッドをこれに合わせて一定方向に回し、両者を連結するものである。
【０００３】
そしてまた、該感知器は、感知器ベースのブレード状の連結端子に火災受信機等に接続される電線を接続するが、従来はブレード状の連結端子とは別体に電線接続端子を製作し、該電線接続端子を介して電線を接続していた。
【０００４】
斯かる場合には、通電用の部材としてブレード状の連結端子と、これとは別体の電線接続端子という２種類の部品を別個に製作しなければならず、また感知器ベースへの組み付けにも手数を要するという問題点がある。
【０００５】
この点を改善すべく、本発明者は、先に一枚の金属板によりこれを折曲し、ブレード状の連結端子部と電線接続端子部とを一体的に形成して電線接続端子付連結端子とした連結端子を用いることにより上記問題点を解決した感知器を案出した。
【０００６】
該感知器は特開平９−１５３１８８号公報に示されている通りであり、これを図１３乃至図１６をもって簡単に説明する。
【０００７】
図１３は感知器ベースの底面図、図１４は図１３中Ｄ−Ｄ線断面図、図１５は電線接続端子付連結端子の底面図、図１６は感知器ヘッドの正面図である。
【０００８】
図中、１００は感知器ベース、１０１は電線引き込み孔、１０２は円周方向の長孔１０３を連成した取付ネジの挿通孔、１０４は後記感知器ヘッドの連結端子が係合するときに入り込む円周方向の細長い凹部、１０５は後記電線接続端子付連結端子の電線接続端子部分を収める凹部である。１０６は止めネジ１０７をねじ込むための小孔である。
【０００９】
１０８、１０９は電線接続端子付連結端子であり、連結端子の突出方向と電線接続端子への電線の差し込み方向が一致するものが前者であり、そうでなく、直角となったものが後者である。
【００１０】
ここでは前者の電線接続端子付連結端子１０８について説明する。該連結端子は、一枚の金属板を折曲し、断面コ字形の部分１０８ａと、それの底部１０８ａ′から直角に伸び出すブレード状の部分１０８ｂとを形成し、断面コ字形の部分１０８ａを電線接続端子とし、ブレード状の部分１０８ｂを連結端子とするものである。
【００１１】
また、ブレード状の部分１０８ｂには基部寄りの部分にネジ挿通孔１０８ｂ′を穿設すると共に略中央部に後記感知器ヘッドの連結端子における小突起が嵌入する孔１０８ｂ″を穿設し、一方断面コ字形の部分１０８ａには端子バネ１１０を内装している。また、該端子バネ１１０は一枚のバネ板を、その一端側を丁字状に、また他端側をＳ字状に折曲して形成したものである。尚、１１０ａは丁字状の部分、１１０ｂはＳ字状の部分である。
【００１２】
そしてまた、断面コ字形の部分１０８ａには、電線挿入孔１１１がブレード状の部分１０８ｂと同一方向になるようにして端子板１１２を被せている。また、１１３は感知器ヘッド、１１４は感知器ヘッドの連結端子である。１１５は連結端子１１４の小突起である。該小突起１１５は感知器ベースの連結端子におけるブレード状の部分の孔に嵌入して係止するものである。
【００１３】
然して、電線Ｌの芯線Ｌ１  を端子板１１２の電線挿入孔１１１から差し込むと、芯線Ｌ１  は端子バネ１１０の作用によって電線接続端子は連結端子１０８の断面コ字形の部分１０８ａに接触するように押し付けられ、これにより連結端子を構成するブレード状の部分１０８ｂは、断面コ字形の部分１０８ａを介して電線と電気的に接続されるものである。
【００１４】
【発明が解決しようとする課題】
斯くの如く構成した感知器は、充分に当初の目的を達成することができる。しかし、また使用する上において若干の改善すべき点のあることも判明した、その第１点は、前記の如く電線接続端子付連結端子を２種類（１０８、１０９）必要とすることから、コストアップにつながるという点である。
【００１５】
即ち、該感知器による感知器ベースの場合、図１３に鎖線で示す如く同一の連結端子１０８のみで構成しようとすると、隣接する連結端子同志がぶつかってしまい、スペース的に無理がある。このため必然的に連結端子の突出方向と電線接続端子への電線の差し込み方向が一致するものとそうでないものとの２種類を必要とした。
【００１６】
また、第２点は、電線接続端子付連結端子を止めネジ１０７の１本で止めるものであるから固定が不充分であり、而もブレード状の部分は先端部が固定されておらず、不安定であるから、連結操作時に感知器ヘッドを抜き差しする方向にブレード状の部分が折れ曲がり易いことである。
【００１７】
また、第３点は、連結端子が金型による型抜き加工によって製作するものであることから、全体的に縁の部分にバリが発生し、そしてブレード状の部分の先端部から折り返したものであるから、ブレード状の部分の側縁のバリが感知器ヘッドを側方から連結するときに支障となる点である。
【００１８】
即ち、感知器ベース１００に感知器ヘッド１１３を連結するとき、感知器ヘッド１１３の連結端子１１４における小突起１１５が、感知器ベース１００の連結端子１０８、１０９におけるブレード状の部分の縁に発生しているバリ（図示せず。）に引っ掛かり、スムーズに連結操作することができず、最悪の場合は連結端子を破損することもあるという点である。
【００１９】
本発明は斯かる点を改善し、よりコストを下げ且つ連結端子の全体的な強度を高めてブレード状の部分の折れ曲がりを防ぎ、更に感知器ベースへの感知器ヘッドの連結操作をスムーズに行うことができるようになした感知器ベースを提供せんとするものである。
【００２０】
【課題を解決するための手段】
而して、本発明の要旨とするところは、感知器ヘッドを着脱自在に取り付ける感知器ベースにおいて、該感知器ベースに固定する通電用の部材として、一枚の金属板によりこれを折曲し、押圧固定用の端子バネを内装する、電線接続端子となる一方が開放する箱形の部分と、それから伸び出す連結端子となるブレード状の部分とを一体的に形成した電線接続端子付連結端子を用い、該電線接続端子付連結端子を、ブレード状の部分の先端部を、ネジ止め等の手段により止着して感知器ベースに固定する一方、箱形の部分を、それに電線挿入孔がブレード状の部分と同一方向になるようにして被せた端子カバーの両側部に突起又は凹部を設けると共に感知器ベースに、弾性を有し且つ対向面に、前記端子カバーの両側部に設けた突起又は凹部と嵌合する凹部又は突起を設けた係止片を対立設し、該係止片の凹部又は突起に前記端子カバーの突起又は凹部を嵌合させて感知器ベースに固定するようになしたことを特徴とする感知器ベースにある。
【００２１】
また、電線接続端子付連結端子におけるブレード状の部分を、連結操作時に感知器ヘッドの連結端子に当接する側の部分から折り返して重合するようにしてもよい。
【００２２】
【発明の実施の形態】
以下、本発明の実施形態について図面を参照しつつ説明する。
図１は本発明における感知器ベースの底面図、図２は図１中Ａ−Ａ線断面図、図３は感知器ベースの平面図、図４は電線接続端子付連結端子を装着した状態の感知器ベースの底面図、図５は図４中Ｂ−Ｂ線断面図、図６は電線接続端子付連結端子の正面図、図７は同左側面図、図８は同右側面図、図９は同平面図、図１０は図９中Ｃ−Ｃ線断面図、図１１は同底面図、図１２は同展開状態の平面図である。
【００２３】
１は感知器ベース、２は電線引き込み孔、３は円周方向の長孔４を連成した取付ネジの挿通孔、５は感知器ヘッド（図示せず。）の連結端子が係合するときに入り込む円周方向の細長い凹部である。
【００２４】
６、６は感知器ベース１における前記凹部５より内側に対立設した係止片である。該係止片６、６と後記電線接続端子付連結端子における電線接続端子側の両側部に設けた突起又は凹部とによって嵌合係止手段を構成し、電線接続端子付連結端子における電線接続端子側を感知器ベースに固定するものである。また、該係止片６、６は弾性を有し且つ対向面に後記電線接続端子付連結端子における電線接続端子側の両側部に設けた突起を嵌合する凹部６ａを設けている。また、前記感知器ベース１の該係止片６、６で挟まれた後記電線接続端子付連結端子を固定する部分１ａは、内側が高くなるようにして傾斜させている。
【００２５】
また、本実施形態では、該係止片６、６に凹部６ａを設け、電線接続端子側に突起を設ける場合を示しているが、これを逆にしてもよい。
【００２６】
７は感知器ベース１における前記凹部５より外側に設けた雌ネジを形成してない小孔であり、この小孔７に止めネジ８をねじ込むことにより、螺合状態を形成するものである。また、該止めネジ８により後記電線接続端子付連結端子におけるブレード状の部分の先端を固定するものである。尚、本実施形態では止めネジによる固定手段を示したが、この他の適宜の固定手段を用いてもよい。
【００２７】
９は電線接続端子付連結端子である。また、該電線接続端子付連結端子９は、一枚の金属板を折曲し、一方が開放する箱形の部分９ａと、それの底部９ａ′から直角よりやや傾斜して伸び出すブレード状の部分９ｂを形成し、箱形の部分９ａを電線接続端子とし、ブレード状の部分９ｂを連結端子とするものである。そしてまた、該ブレード状の部分９ｂは、連結操作時に感知器ヘッドの連結端子に当接する側の部分から折り返して重合する。
【００２８】
また、ブレード状の部分９ｂには、先端寄りの部分に前記止めネジ８を挿通するネジ挿通孔９ｂ′を穿設すると共に、略中央部に感知器ヘッドの連結端子における小突起が嵌入する孔９ｂ″を穿設し、一方箱形の部分９ａには端子バネ１０を内装している。また、該端子バネ１０は一枚のバネ板を、その一端側を丁字状に、また他端側をＳ字状に折曲して形成したものである。尚、１０ａは丁字状の部分、１０ｂはＳ字状の部分である。また、端子バネ１０の形状は本実施形態のものに限定する必要はない。
【００２９】
そしてまた、箱形の部分９ａには、電線挿入孔１１がブレード状の部分９ｂと同一方向になるようにして端子カバー１２を被せている。また、該端子カバー１２には、両側部に前記係止片６、６とをもって嵌合係止手段を構成する突起１２ａ、１２ａを設けている。更にまた、該端子カバー１２の前記連結端子のブレード状の部分９ｂと反対側の下端部は斜めに切欠している。
【００３０】
然して、電線Ｌの芯線Ｌ１  を端子カバー１２の電線挿入孔１１から差し込むと、芯線Ｌ１  は端子バネ１０の作用によって電線接続端子付連結端子９の箱形の部分９ａに接触するように押し付けられ、これにより連結端子を構成するブレード状の部分９ｂは、箱形の部分９ａを介して電線と電気的に接続されるものである。
【００３１】
そしてまた、電線接続端子付連結端子を、連結端子を構成するブレード状の部分９ｂの先端部を止めネジ８によって感知器ベース１に固定すると共に、電線接続端子を構成する箱形の部分９ａを、感知器ベース１に設けた係止片６、６と端子カバー１２の突起１２ａ、１２ａとによって構成する嵌合係止手段によって固定することにより、感知器ベース１に固定したものであるから、感知器ベースの組み立て時の作業性を向上させながら、連結端子を小型化して配置上のスペースを確保し、併せて感知器ヘッドの連結操作時の必要強度を確保することができる。
【００３２】
また、ブレード状の部分９ｂは、連結操作時に感知器ヘッドの連結端子に当接する側の部分から折り返して重合しているから、感知器ヘッドの連結端子をブレード状の部分９ｂに係合させるときに、バリによる支障が起きず、スムーズに行うことができる。
【００３３】
【発明の効果】
本発明は上記の如き構成、作用であるから、電線接続端子付連結端子を後部への張り出しを少なくして小型化し、配置上のスペースを確保することができる。したがって、同一の連結端子でも隣接して設置することが可能となり、一種類の連結端子のみを製作すれば足りる。
【００３４】
また、電線接続端子付連結端子は、ブレード状の部分の先端部を感知器ベースに固定すると共に、箱形の部分側を感知器ベースに設けた嵌合係止手段をもって固定することにより感知器ベースに固定するものであるから、二重の固定により強度が増大し、連結操作時にブレード状の部分が折れ曲がりにくくなる。
【００３５】
また、連結端子のブレード状の部分を、連結操作時に感知器ヘッドの連結端子に当接する側の部分から折り返して重合するようにすれば、感知器ヘッドの連結端子をブレード状の部分に係合させるときに、バリによる支障が起きず、スムーズに行うことができる。
【図面の簡単な説明】
【図１】  本発明における感知器ベースの底面図である。
【図２】  図１中Ａ−Ａ線断面図である。
【図３】  感知器ベースの平面図である。
【図４】  電線接続端子付連結端子を装着した状態の感知器ベースの底面図である。
【図５】  図４中Ｂ−Ｂ線断面図である。
【図６】  電線接続端子付連結端子の正面図である。
【図７】  電線接続端子付連結端子の左側面図である。
【図８】  電線接続端子付連結端子の右側面図である。
【図９】  電線接続端子付連結端子の平面図である。
【図１０】  図９中Ｃ−Ｃ線断面図である。
【図１１】  電線接続端子付連結端子の底面図である。
【図１２】  電線接続端子付連結端子の展開状態の平面図である。
【図１３】  本発明者が先に案出した感知器における感知器ベースの底面図である。
【図１４】  図１３中Ｄ−Ｄ線断面図である。
【図１５】  電線接続端子付連結端子の底面図である。
【図１６】  感知器ヘッドの正面図である。
【符号の説明】
１  感知器ベース
２  電線引き込み孔
５  凹部
６、６  嵌合手段としての係止片
８  止めネジ
９  電線接続端子付連結端子
９ａ  箱形の部分
９ｂ  ブレード状の部分
１０  端子バネ
１１  電線挿入孔
１２  端子カバー
【図１】
0003637409.tif 000002
【図２】
0003637409.tif 000003
【図３】
0003637409.tif 000004
【図４】
0003637409.tif 000005
【図５】
0003637409.tif 000006
【図６】
0003637409.tif 000007
【図７】
0003637409.tif 000008
【図８】
0003637409.tif 000009
【図９】
0003637409.tif 000010
【図１０】
0003637409.tif 000011
【図１１】
0003637409.tif 000012
【図１２】
0003637409.tif 000013
【図１３】
0003637409.tif 000014
【図１４】
0003637409.tif 000015
【図１５】
0003637409.tif 000016
【図１６】
0003637409.tif 000017